(57)【要約】【課題】容易に任意の表示を任意の箇所に表示させることができ、カラーバリエーションを持たせることも可能となるので、観者の視線、興味を効果的に強く引きつけることができるＰＯＰなどの広告表示媒体、電子表示媒体に好適な情報表示装置を提供する。【解決手段】  少なくとも、絶縁性の基材層と、該基材層上に配置された電力供給可能な電極層１１と、該電極層１１から電力供給を受けて表示切換可能であって、かつ、該電極層１１への着脱が可能な表示媒体２０と、該表示媒体２０の上記電極層１１に接する面とは反対側の面に配置される光透過性の絶縁層４０と、を有することを特徴とする情報表示装置Ａ。【選択図】図１
2011095652.tif 000002
【特許請求の範囲】
【請求項１】
少なくとも、絶縁性の基材層と、該基材層上に配置された電力供給可能な電極層と、該電極層から電力供給を受けて表示切換可能であって、かつ、該電極層への着脱が可能な表示媒体と、該表示媒体の上記電極層に接する面とは反対側の面に配置される光透過性の絶縁層と、を有することを特徴とする情報表示装置。
【請求項２】
電力供給可能な電極層は、着脱可能であることを特徴とする請求項１記載の情報表示装置。
【請求項３】
絶縁性の基材層と電力供給可能な電極層は、光透過性であることを特徴とする請求項１又は２記載の情報表示装置。
【請求項４】
表示媒体は、電力供給可能な電極層から電力供給を受けるための接点と、透明な前面板に形成された光透過性の電極と背面板に形成された電極が対向配置された基板電極間に、双安定型表示層を有する表示部とを備えたことを特徴とする請求項１乃至３記載の情報表示装置。
【請求項５】
表示媒体が文字、図形、記号若しくはこれらの組み合わせからなることを特徴とする請求項１乃至４の何れか一つに記載の情報表示装置。
【発明の詳細な説明】
【技術分野】
【０００１】
本発明は、ＰＯＰなどの広告表示媒体、電子表示媒体等の情報表示装置に関し、更に詳しくは、電界等の作用により可逆的に視認状態を変化させることができる表示媒体を備えた情報表示装置に関する。
【背景技術】
【０００２】
従来より、薄型でフレキシブル性があり、消費電力の少ない電子ペーパーの特性を生かして、紙で作成されることの多い表示媒体やＰＯＰ等の広告表示媒体に応用することが提案されてきている（例えば、非特許文献１及び２参照）。
特に、これまでの表示切替が不可能であった広告印刷物等を広告表示の切り替えが可能なものとし、より意匠性が高く、観者の視線、興味を強く引きつけるものとすることができるため、雑誌、ポスター、ＰＯＰ、広告看板といった広告表示媒体に電子ペーパーを利用することが提案されてきており（例えば、特許文献１及び２参照）、また、電子棚札、電子ブックに電子ペーパーを利用することが知られている。
【０００３】
しかしながら、従来より提案されてきている表示媒体やＰＯＰ等の広告表示媒体用ディスプレイは、アクティブマトリクス駆動やセグメント表示をするための特別な基盤を作成したりする必要があり、構成が複雑でコストが非常に高くなってしまうといった点に課題を有している。
【０００４】
また、セグメント表示の場合は、いったん作製した表示媒体やＰＯＰ等の広告表示を別のものに変更することができず、流行に敏感な広告表示を適宜容易に作製することができないといった点に課題を有している。
【０００５】
一方、情報表示媒体として電気泳動方式とした電子棚札（例えば、特許文献３参照）が知られており、この電気泳動表示方式を用いた商品情報の表示札は、液晶表示面に比べ、フレキシブル性に優れ、低消費電力であり電源を切っても表示がそのまま残るので安価な表示方式である。
【０００６】
しかしながら、上記特許文献３の電子棚札では、電子棚札は電源が配線された商品陳列棚に固定されているため、商品の配置換えなどによって棚札の移動が容易でない点などに課題がある。また、この電子棚札では、同一背景色の中に赤色と黒色とによる２つの異なった情報を表示できることを開示しているが、表示面積が少なく、インパクト性に欠け、消費者に訴える要素に乏しく、購買意欲を訴求するバリエーションに富んだ高い表示性能となる情報表示装置が切望されているのが現状である。
【先行技術文献】
【特許文献】
【０００７】
【特許文献１】特開２００４−３４１５１９号公報（特許請求の範囲、実施例等）
【特許文献２】特開２００４−２２０４９８号公報（特許請求の範囲、実施例等）
【特許文献３】特開２００１−１０９４０７号公報（特許請求の範囲、実施例等）
【非特許文献】
【０００８】
【非特許文献１】面谷信監修、「デジタルペーパーの最新技術」（シーエムシー、２００１年１１月３０日発行、１１〜１４頁）
【非特許文献２】面谷信監修、「電子ペーパーの最新技術と応用」（シーエムシー、２００４年７月３０日発行、１８４〜１８６頁）
【発明の概要】
【発明が解決しようとする課題】
【０００９】
本発明は、上記従来の課題及び現状等に鑑み、これを解消しようとするものであり、容易に任意の表示を任意の箇所に表示させることができ、カラーバリエーションを持たせる
ことも可能となり、観者の視線、興味を効果的に強く引きつけることができるＰＯＰなどの広告表示媒体、電子表示媒体に好適な情報表示装置を提供することを目的とするものである。
【課題を解決するための手段】
【００１０】
本発明者らは、上記従来技術の課題等について鋭意検討した結果、少なくとも、特定構造となる基材層と、該基材層上に配置された電力供給可能な電極層と、該電極層への着脱が可能な特定構造の表示媒体と、該表示媒体の上記電極層に接する面とは反対側の面に配置される特定構造の層とを有することにより、上記目的の情報表示装置が得られることを見い出し、本発明を完成するに至ったのである。
【００１１】
すなわち、本発明は、次の（１）〜（５）に存する。
（１）  少なくとも、絶縁性の基材層と、該基材層上に配置された電力供給可能な電極層と、該電極層から電力供給を受けて表示切換可能であって、かつ、該電極層への着脱が可能な表示媒体と、該表示媒体の上記電極層に接する面とは反対側の面に配置される光透過性の絶縁層と、を有することを特徴とする情報表示装置。
（２）  電力供給可能な電極層は、着脱可能であることを特徴とする上記（１）記載の情報表示装置。
（３）  絶縁性の基材層と電力供給可能な電極層は、光透過性であることを特徴とする上記（１）又は（２）記載の情報表示装置。
（４）  表示媒体は、電力供給可能な電極層から電力供給を受けるための接点と、透明な前面板に形成された光透過性の電極と背面板に形成された電極が対向配置された基板電極間に、双安定型表示層を有する表示部とを備えたことを特徴とする上記（１）乃至（３）記載の情報表示装置。
（５）  表示媒体が文字、図形、記号若しくはこれらの組み合わせからなることを特徴とする上記（１）乃至（４）の何れか一つに記載の情報表示装置。
【発明の効果】
【００１２】
本発明によれば、容易に任意の表示を任意の箇所に表示させることができ、カラーバリエーションを持たせることも可能となるので、観者の視線、興味を効果的に強く引きつけることができるＰＯＰなどの広告表示媒体、電子表示媒体に好適な情報表示装置が提供される。
【図面の簡単な説明】
【００１３】
【図１】本発明の情報表示装置の一例を示す概略斜視図である。
【図２】（ａ）は、図１の情報表示装置の概略断面図、（ｂ）は、電極層の一部を拡大した説明図である。
【図３】表示媒体の部分断面図である。
【図４】（ａ）及び（ｂ）は、本発明における表示媒体が文字、図形、記号若しくはこれらの組み合わせからなる各形態を平面態様で示す各説明図である。
【図５】（ａ）〜（ｆ）は、電極層の他の実施形態を平面態様で示す各説明図である。
【図６】本発明の情報表示装置の他例を示すものであり、（ａ）は概略斜視図、（ｂ）は概略断面図である。
【図７】本発明の情報表示装置をＰＯＰ広告に用いた情報表示装置の一例を示すものであり、（ａ）は概略斜視図、（ｂ）は概略断面図である。
【図８】本発明の情報表示装置をＰＯＰ広告に用いた情報表示装置の他例を示す斜視図である。
【発明を実施するための形態】
【００１４】
以下に、本発明の実施の形態を詳しく説明する。
図１〜図４は、本発明の情報表示装置の実施形態を示すものであり、図１は、情報表示装置の一例を示す概略斜視図、図２（ａ）は、図１の情報表示装置の概略断面図、（ｂ）は、電極層の一部を拡大した説明図、図３は、表示媒体の部分断面図、図４（ａ）及び（ｂ）は、本発明における表示媒体が文字、図形、記号若しくはこれらの組み合わせからなる各形態を平面態様で示す各説明図である。
【００１５】
本実施形態の情報表示装置Ａは、ボードタイプの形態であり、図１に示すように、枠体１を備え、この枠体１に絶縁性の基材層１０が取り付けられている。
この絶縁性の基材層１０上には、図１及び図２（ａ）に示すように、電力供給可能な電極層１１が配置されると共に、該電極層１１上には電極層１１から電力供給を受けて表示切換可能であって、かつ、該電極層１１への着脱が可能な表示媒体２０、２０……と、該表示媒体２０の上記電極層１１に接する面とは反対側の面に光透過性の絶縁層４０が配置される構造となっている。
【００１６】
絶縁性の基材層１０は、絶縁性となる基材であれば特に限定されず、例えば、絶縁性の
樹脂板、絶縁性の樹脂フィルム、木製の板、木材、絶縁塗装された金属、ゴム板、紙、厚紙、布、セラミック板などが挙げられる。なお、上記枠体１も絶縁性の基材層１０と同材料で構成することができ、枠体１と絶縁性の基材層１０を一体に構成してもよいものである。
【００１７】
本実施形態の電極層１１は、基本となる、絶縁性の基材層１０に直接電極（金属層からなる導電パターン等）を形成することにより構成したり、または、樹脂等のシート体上に、導電パターン（電極部）を形成した電極シートから構成したりすることができる。
この電極層１１は、図示しないが、枠体等に設けられた電源部に接続されている。なお、電源部は、スイッチ部を有するものであり、本実施形態では乾電池（単三４本）、昇圧回路を備え、電圧を５０Ｖとしている。
【００１８】
電極部１１のパターンは、特に限定されず、表示媒体の表示方式等により変動することができ、例えば、図２（ｂ）に示すように、絶縁性の基材層１０に、例えば、木製の基材層に直接電極（銅等の導電金属層からなるパターン、＋、−）を交互に形成することより作製することができる。
【００１９】
表示媒体２０は、図３に示すように、透明な前面板２１に形成された光透過性の電極２２と、背面板２３に形成された電極２４がリブ２５により対向配置された基板電極２２，２４間に、双安定型表示層２６を備えると共に、前面板２１の面上に、更に、光透過部３１と光非透過部３２とを有する表示部３０を配置した形態である。
この表示媒体２０の透明な前面板２１は、双安定型表示装置としての表示面となるように光透過性を有するものであれば特に限定されることなく用いることができる。例えば、透明で視認性に優れ、耐熱性、耐侯性、非収縮性、そして機械的強度、耐薬品性等に優れるものであればよく、例えば、ガラス等の無機物、ポリメチルメタアクリレート、ポリスチレン又はスチレンとアクリロニトリル又はメチルメタアクリレートとの共重合体、ポリ（４−メチルペンテン−１）、ポリプロピレンとかシクロペンテン、ノルボルネン、テトラシクロドデカン等の環状オレフィンモノマーによる単独又はエチレン等の共重合による非晶性環状オレフィンポリマー、ポリエチレンテレフタレート、ポリエチレンナフタレート、ポリアリレート、ポリエーテルサルホン、ポリカーボネート、各種液晶性ポリマー等の熱可塑性樹脂、アクリル系、ウレタン系、エポキシ系、シリコーン系の熱硬化性透明樹脂等が挙げられる。これらは２種以上を併用してもよい。
【００２０】
この透明な前面板２１としては、具体的には、双安定型表示層２６を構成することとなる電気泳動表示用液や電子粉流体（登録商標、以下同様）又はメモリー性液晶組成物等により溶解したり、変質したりしない材質のもの、化学的・物理的特性等に応じて適宜最適なものを選択することができる。また、透明な前面板２１は、双安定型表示層２６に用いる電気泳動表示用液等中の分散媒の揮発や、空気、水分等の透過を抑制・防止する材質であることが望ましい。
更に、この透明な前面板２１には、分散媒の揮発や、空気、水分等の透過を高度に抑制・防止する目的で、ポリビニルアルコールやポリエチレンビニルアルコール等のガスバリア性フィルム等をラミネート法等により積層して用いたり、ガラスが割れたり、飛散するのを防止する目的で、ポリビニルブチラール等の樹脂フィルムを組み合わせて用いることも可能である。
【００２１】
透明な前面板２１に形成する光透過性の電極２２としては、例えば、ＩＴＯ、ＩＺＯ等の透明電極材料を用いて形成された電極を挙げることができる。
この光透過性の電極２２は、例えば、ＰＥＴ等の透明樹脂フィルムや透明ガラスなどにＩＴＯ等の透明導電性材料を塗工法、イオンプレーティング法、スパッタリング法等の蒸着法等により形成することができる。また、この光透過性の電極２２は、前面板２１の全
体に渡って均一に形成された、いわゆるベタ電極とすることが、コストの面で好ましいが、フォトエッチングのような従来から用いられている方法により、パターン形成したものを用いることを妨げるものではない。前面板２１の電極構成は、背面板２３の電極構成に応じて適宜組み合わせたり、選択することができるものである。
【００２２】
背面板２３としては、上記前面板と同様に、双安定型表示層２６を構成することとなる電気泳動表示用液や電子粉流体又はメモリー性液晶組成物等の漏れ出しや、溶媒の揮発を抑制できる材質であれば特に限定されるものではないが、薄型の双安定型表示装置を得る上では、例えば、樹脂フィルム、樹脂板、セラミックス板、金属板等の薄型の背面板を用いることが望ましい。なお、当該背面板２３についても、分散媒の揮発や、空気、水分等の透過を高度に抑制・防止する目的で、ポリビニルアルコールやポリエチレンビニルアルコール等のガスバリア性フィルム等をラミネート法等により積層して用いることができる。なお、この背面板２３は、後述する第２実施形態の透明なものと相違し、不透明な構造となっている。
【００２３】
背面板２３に形成する電極２４は、上記前面板の電極と同様に、ＩＴＯ等の透明導電性材料を塗工法、イオンプレーティング法、スパッタリング法等の蒸着法等により形成することや、導電性の金属材料を蒸着法等により形成することや、金属フィルム等を貼り付けることにより、形成することができる。更に、電極２４が形成された基板２３としては、液晶等で使用されているＴＦＴ（Thin Film Transistor）基板等を用いることを妨げるものではないが、低コストで作製可能な、いわゆるベタ電極とすることが好ましい。
更に、反射率の高い白表示の実現のためには、透明な前面板２１に光透過性の電極２２が形成された状態での可視光の透過率が、８０％以上となるもの、好ましくは９０％以上が特に望ましい。
【００２４】
また、背面板２３には、磁石材料２７が固着されている。この磁石材料２７により、表示媒体２０は表示ボードとなる絶縁性の基材層１０に着脱自在となる。なお、基材層１０としては、上記磁石材料２７と着脱自在となるように、絶縁性の基材層１０を強磁性体等から構成したもの、例えば、木版内に鉄製の薄板を内蔵せしめた基材層、絶縁塗装が施された鉄板等を用いることができる。
更に、背面板２３には、透明電極シートからなる電極層１１の電極部等から電力供給を受けて表示媒体の電極２２，２４に接続する接点（取出電極）２８が設けられている。
【００２５】
本実施形態の表示媒体２０は、図３に示すように、透明な前面板２１に形成された光透過性の電極２２と背面板２３に形成された電極２４をリブ２５により対向配置させ、当該電極基板間に双安定型表示層２６を封入することにより構成されると共に、前面板２１の面上に、光透過部３１と光非透過部３２とを有するシート状の表示部３０を配置することにより構成される。
電極基板は、電極同士の接触によるショートを防止し、ムラのない均一な表示を得る等のために一定の電極基板間隔を保つようにリブ２５等により対向配置される。すなわち、対向配置される電極基板間隔は、従来より知られる液晶や電気泳動表示装置等で用いられている種々の手法により、当該間隔を一定に保つように、リブ２５等により電極基板間隔を一定に保つように構成されている。また、一方の電極基板にフォトリソ法やナノインプリント法等により、一定の高さを有するスペーサー部材等を立てた後、もう一方の電極基板を貼り合わせる方法等により、電極基板間隔を一定に保つように構成することができる。
【００２６】
双安定型表示層２６としては、双安定性（バイステイブル性）のある表示層を形成するものであれば特に限定されず、例えば、電気泳動表示用液（電子粉流体を含む）から構成される双安定型表示層、または、メモリー性液晶組成物等から構成される双安定型表示層
などが挙げられる。
電気泳動表示用液としては、従来より用いられている電気泳動表示用液、例えば、少なくとも１種類以上の電気泳動粒子及び分散液媒体を含有するものであれば良く、特に限定されるものではない。
電気泳動表示用液に用いる電気泳動粒子としては、例えば、有色または無色（白色）の無機顔料粒子、有機顔料粒子、高分子微粒子等を用いることができ、これらは各単独（１種）又は２種以上を混合して用いることができる。また、親油性表面処理されている微粒子であってよいものである。好ましくは、平均粒子径が０．０５〜２０μｍのものが用いられ、特に好ましくは、平均粒子径が０．１〜１０μｍのものが望ましい。また、これらの微粒子の合計含有量は、電気泳動表示用液全量に対して、好ましくは、３〜５０重量％（以下、単に「％」という）、更に好ましくは、５〜４０％とすることが望ましい。
【００２７】
分散液媒体としては、例えば、従来電気泳動表示に用いられている各種タイプのものを用いることができる。具体的には、芳香族系炭化水素、ヘキサン、シクロヘキサン、ケロシン、アイソパー、パラフィン系炭化水素等の脂肪族炭化水素類、ハロゲン化炭化水素類、リン酸エステル類、フタル酸エステル類、カルボン酸エステル類、塩素化パラフィン、Ｎ，Ｎ−ジブチル−２−ブトキシ−５−ターシャリオクチルアニリン等が挙げられるが、これらに限定されるものではない。これらの分散液媒体の含有量としては、用いる電気泳動粒子や分散剤種によって適宜決定されるが、電気泳動表示用液全量に対して、２５〜８５％となるように含有することが好ましく、更に好ましくは、３０〜６０％とすることが望ましい。また、上記分散液媒体に対して各種油溶性染料を溶解して着色して用いることが可能である。なお、電気泳動表示用液には、上記液体タイプの他、電気泳動粒子が空気中を移動する応答速度の速い電子粉流体であってもよいものである。
更に、電気泳動表示用液には、適宜分散剤を添加することができるものであり、用いる分散剤としては、慣用的に用いられる各種の分散剤、界面活性剤や高分子界面活性剤、例えば、ノニオン系界面活性剤、アニオン系界面活性剤、カチオン系界面活性剤、両性系界面活性剤、高分子型界面活性剤などが挙げられるが、これらに限定されるものではない。これらの分散剤の含有量としては用いる電気泳動粒子や溶媒種によって適宜決定されるが、電気泳動表示用液全量に対して、０．０１〜２０．０％となるように含有されることが好ましく、更に好ましくは、０．５〜１０％となるように含有することが望ましい。
【００２８】
また、双安定型表示層を構成するメモリー性液晶組成物（デバイス）は、電源を切っても表示が維持されるメモリ性機能を持ったネマティック液晶、コレステリック液晶、スメクティック液晶の液晶組成物等から構成されるものであれば、特に限定されない。例えば、強誘電性液晶（ＦＬＣ，スメクティック液晶）、無機配向膜を用いた基板間隔を１．７μｍ程度とした駆動電圧５Ｖの双安定型表示層などが挙げられる。
本形態の双安定型表示媒体２０における双安定型表示層２６は、例えば、負帯電の白色の電気泳動粒子（酸化チタン粒子）、正帯電の黒色粒子（カーボンブラックで着色された樹脂粒子）、分散剤及び分散液媒体を含有する電気泳動用表示液から構成されている。
【００２９】
また、前面板２１の面上には、図４に示すように、光透過部３１と光非透過部３２とを有するシート状の表示部３０が直接接着又は着脱自在に配置されている。
この表示部３０の作製方法等としては、例えば、１）透明なＰＥＴ、塩化ビニル、ポリカーボネート等の樹脂フィルム、透明なガラスなどの光透過性のシート状又は板状部材に、インクジェット印刷、レーザープリンター印刷、スクリーン印刷、グラビア印刷などの印刷法を用いて、光非透過部を形成する方法、２）上記光透過性のシート状部材に、スパッタリングなどの蒸着法を用いて金属材料で光非透過部を形成する方法、または、３）有色のＰＥＴ、塩化ビニル等の樹脂フィルム、紙などの光非透過性のシートを、打ち抜きや切り抜きなどで文字、図形などの標章等を形成して、上記光透過性のシート部材に接着又は着脱自在に配置する方法、などにより作成する方法が挙げられる。
本実施形態では、インクジェット印刷により光非透過部３２を形成したものであり、光透過部３１がアルファベット文字の「Ｏ」となるように構成したものである。同様に、それぞれ「Ｐ」、「Ｅ」、「Ｎ」の表示媒体２０を作製することができる。図１は、これらの「Ｏ」、「Ｐ」、「Ｅ」、「Ｎ」の表示媒体２０を電極層１１上に取り付けた状態を示すものである。
【００３０】
本実施形態では、上記構成となるアルファベッド文字の「Ｏ」、「Ｐ」、「Ｅ」、「Ｎ」の各表示媒体２０を、表示ボードとなる基材層１０及び電極層１１上の任意の場所に取り付け配置している。また、表示媒体２０及び電極層１１を保護し、表示媒体の表示性能を更に向上させると共に、安全性を更に高めるため、該表示媒体２０の電極層１１に接する面とは反対側の面に、光透過性の絶縁層４０が配置されている。この光透過性の絶縁層４０により表示媒体２０及び電極層１１が保護されることとなる。
光透過性の絶縁層４０は、透明で視認性に優れ、絶縁性であれば良く、更に望ましくは、耐熱性、耐候性、非収縮性、そして機械的強度などに優れるものが良い。例えば、ＰＥＴ、ＰＣ、アクリル、ＰＶＣ、ＰＥＮ、ＰＥＳ、ＡＳ、ＰＥ、ＰＰ、ガラスなどから構成することができ、本実施態様ではアクリル製から構成されている。
【００３１】
このように構成される情報表示装置Ａでは、アルファベッド文字の「Ｏ」、「Ｐ」、「Ｅ」、「Ｎ」の各表示媒体２０を、表示ボードとなる絶縁性の基材層１０上の任意の場所に磁力手段（表示媒体２０の磁石材料２７と強磁性体を有する基材層１０）により取り付け、光透過性の絶縁層４０で各表示媒体２０、電極層１１を被覆することによりセットされる。
この情報表示装置Ａにおいて、表示ボードとなる絶縁性の基材層１０及び電極層１１上の任意の位置に設けられた各表示媒体２０（「Ｏ」、「Ｐ」、「Ｅ」、「Ｎ」）は枠部等に設けられた図示しないスイッチ部を「ＯＮ」とすることにより、電源部から電極層１１に電力が供給され、表示媒体２０の接点（取出電極）２８に通電されて表示媒体２０が駆動することとなる。本実施形態では、間歇的に電極層１１に±を交互に反転させながら電力が供給されるタイプであるので、観者は表示媒体２０の「Ｏ」「Ｐ」「Ｅ」「Ｎ」を点滅状態で認識することができるものとなる。
【００３２】
本実施形態では、透明な前面板２１に形成された光透過性の電極２２と、背面板２３に形成された電極２４がリブ２５等により対向配置された基板電極間に、例えば、白黒表示を行う双安定型表示層２６を備えたものであり、上記前面板２１における光透過性の電極２２が形成された面の反対側の面上に、光透過部３１と光非透過部３２とを有する表示部３０、具体的には、光透過性のシート状の部材（ＰＥＴフィルムなど）に、光透過する部分を「Ｏ」文字となるようにインクジェット印刷により表示する光非透過部３２を黒色で印刷することにより、文字「Ｏ」を表示することとなる光透過部が鮮やかに白色表示され、ハッキリと認識されることとなり、一方、黒色表示される場合には黒色印刷された光非透過部３２が、光透過部３１の色と同じために同化してしまい見えにくくなることとなる。これら白表示と黒表示を交互に変化させることにより、ボード表面のうちの少なくとも一面を「ＯＰＥＮ」というインパクトのある表示となり、観者の視線、興味を強く引くことができる表示装置として好適な情報表示装置が得られることとなる。
本発明となる情報表示装置は、店頭などでの表示ボード、壁掛け用の表示ボードの他、店頭のカウンタ広告、例えば、ラック広告、駅や空港などでのメッセージボード、ホテルや旅館などでのウェルカムボードなどの情報表示装置、並びに、搬送用の表示装置などに用いてもよいものである。
【００３３】
また、上記実施形態では、「Ｏ」「Ｐ」「Ｅ」「Ｎ」の４つの表示媒体２０を用いたが、予め特定の形状、例えば、図４（ａ）に示す、アルファベッド文字（Ａ〜Ｔ等）の文字パネルや、絵文字、記号等からなる各表示媒体２０や、図４（ｂ）に示す、くり貫きタイ
プのアルファベッド文字や、ひらがな文字、一つの表示媒体で「ＯＰＥＮ」、「新装開店」、「○○○○○株式会社」となる文字、用途上使用頻度の高い「ロゴ」、「社名」、「割引」、「曜日」、「開店」、「ドット」「タイル形状」などの各表示媒体２０を作製の上、予め用意しておけば、用途、その時の販売状況等に応じて多種のバリエーションとなる文字等の標章を表示ボードとなる基材層１０に取り付けてインパクトのある表示を行うことができるものとなる。なお、上記くり貫きタイプのアルファベッド文字では、光透過部３１と光非透過部３２を有する表示部３０を用いることなく、表示媒体２０の表示層２６自体が文字となっているタイプである。
また、印刷や蒸着によって形成される光非透過部３２の表示態様（バリエーション）を変更することにより、表示内容等を容易に変更することができ、また、表示部３０の光非透過部３２の色を、赤色、黄色、青色、緑色などの観者の視線、興味を引く有彩色から構成すれば、更に観者の視線、興味を強く引きつけることができる。
更に、上記実施形態では、双安定型表示層２６を白黒表示層としたが、電気泳動用表示液の着色粒子などの微粒子を好適に組み合わせることにより、赤色・白色表示、黄色・白色表示などの黒色と白色以外の有彩色との組み合わせ、赤色・黒色表示、黄色・黒色表示などの白色以外の有彩色同士の組み合わせであってもよい。
【００３４】
また、上記実施形態では、電極層１１を基材層１０に直接形成したが、樹脂等のシート体に導電パターンを形成した基材層１０に着脱自在となるシート状の電極層であってもよいものである。
更に、電極層１１の導電パターンは、特に限定されず、表示媒体の表示方式等により変動することができ、図２（ｂ）以外の他、例えば、図５（ａ）に示すように、基材層１０に直接又はシート体上に互いに接触せずに噛み合い、それぞれに独立した電圧を印加できる二つの櫛歯状の電極層を有する形態、図５（ｂ）に示すように、基材層１０に直接又はシート体上に、互いに接触せずに電極層が横方向に並列している形態、図５（ｃ）に示すように、基材層１０に直接又はシート体上に、互いに接触せずに四角形形状の電極層が縦横方向に整列している形態、図５（ｄ）に示すように、基材層１０に直接又はシート体上に、互いに接触せずに斜め形状の電極層が斜め方向に並列している形態、図５（ｅ）に示すように、基材層１０に直接又はシート体上に、互いに接触せずに電極層が上下２段に並列している形態、図５（ｆ）に示すように、基材層１０に直接又はシート体上に互いに接触せずに噛み合い、それぞれに独立した電圧を印加できる櫛歯状の電極層が横方向に並列している形態などが挙げられる。これらの電極層を用いることにより、各表示媒体２０の表示（通電）態様を様々な状態で表示することができることとなる。
更にまた、表示ボードとなる基材層１０をその材質をそのまま用いる他、基材層（絶縁性の樹脂板、絶縁性の樹脂フィルム、木製の板、ゴム板、紙、厚紙、布、セラミック板）１０に、塗装、顔料含有等により、基材層の色を白色、黒色、赤色等としたり、風景画、その他の標章等を表示すれば、表示媒体の点滅等の表示と相俟ってインパクトのある表示態様となる。
【００３５】
図６は、本発明の情報表示装置の他例を示すものであり、（ａ）は斜視図、（ｂ）その概略断面図である。なお、以下の実施形態において、上記実施形態と同様の構成は同一の図示符号を付けてその説明を省略する。
本実施形態の情報表示装置Ｂは、枠体１に支持板（背板）２を設けた点、絶縁性の基材層１０及び電極層１１を透明とした点、絶縁性の基材層１０と支持板（背板）２との間に、用途や表示態様などに応じて、「スーパー○○○」、「開店」等の標章を紙等の印字シートに印刷表示等したポスターや写真などの層となる表示シート３５を配置すると共に、表示媒体２０の背面板２３が透明である点でのみ相違するものである。
【００３６】
透明な絶縁性の基材層１０としては、透明性を有する絶縁性の樹脂板や絶縁性の樹脂フィルムを用いることができ、また、透明な電極層１１としては、透明な絶縁性の基材層１
０に直接ＩＴＯ、ＩＺＯ等の透明電極材料を用いて透明な電極を形成したり、または、透明フィルム上に、ＩＴＯ、ＩＺＯ等の透明電極材料を用いた電極を形成した透明電極シートから構成することができる。
本実施形態の情報表示装置Ｂでは、透明なフィルム上に透明な電極を形成し、さらに背板部分２を付けることで、透明な基材層１０と背板２の間にポスターや写真などの表示シート３５を更に設けることで、表示媒体２０を自由に配置できるだけでなく、表示媒体２０が配置されていない領域の色や絵も自由に変えることができるようになり、よりＰＯＰなどに好適で多様な表示を発揮できる情報表示装置となる。
【００３７】
本実施形態の情報表示装置Ｂによれば、「Ｏ」「Ｐ」「Ｅ」「Ｎ」の４つの表示媒体２０の点滅表示、表示シート３５の表示内容等と相俟って観者の視線、興味を引くインパクトのある表示態様とすることができる。
また、表示シート３５は表示ボードとなる絶縁性の基材層１０と背板２との間に装着自在とすることができるので、表示シート３５の表示内容を流行、その時の消費者ニーズに合致した広告内容等に変えることにより、多種のバリエーションとなる情報表示装置Ｂとすることができる。
【００３８】
図７は、本発明の情報表示装置をＰＯＰ広告に用いた情報表示装置の一例を示すものであり、（ａ）は斜視図、（ｂ）はその概略断面図である。
この情報表示装置Ｃは、脚部３，３…と枠部４，４を有すると共に、枠部４、４同士は上部で連結されて折りたためる（開閉できる）構造となった支持体６を備え、表示媒体の表示面が正面と裏面に二面表示又は正面のみの表示が可能となるものである。本実施形態では、正面のみが表示媒体を有する構造で、裏面側は広告紙などの表示シートが取り付け自在となっている。
【００３９】
この絶縁性の基材層となる表示ボード１０上には、上記実施形態と同様に、図１及び図２（ａ）に示すように、電力供給可能な電極層１１、表示媒体２０、光透過性の絶縁層４０が配置される構造となっている。
本実施形態の情報表示装置Ｃでは、狭いスペースにも簡単にＰＯＰ広告に好適となる情報表示装置を配置することができ、店頭のカウンタ広告、駅や空港などでのメッセージボード、ホテルや旅館などでのウェルカムボードなどに最適な情報表示装置とすることができる。
【００４０】
図８は、本発明の情報表示装置をＰＯＰ広告に用いた情報表示装置の他例を示す斜視図である。
本実施形態の情報表示装置Ｄは、「ｗ」「ｅ」「ｌ」「ｃ」「ｏ」「ｍ」「ｅ」の７つの表示媒体２０、「ＯＰＥＮ」という文字からなる一つの表示媒体２０、ドッド形状の表示媒体２０の各種表示態様となる各表示媒体２０を取り付け、それぞれをリレー状態に通電して点滅型表示としたものである。
【００４１】
本発明の情報表示装置は、上述の如く、構成され、各種表示態様となるものであるが、上記実施形態に限定されるものではなく、本発明の技術思想の範囲内で種々変更することができる。
例えば、上記実施形態では、表示媒体２０を、電極層１１上の任意の場所に磁力手段（表示媒体２０の磁石材料２７と強磁性体を有する基材層１０）により取り付けたが、磁石材料２７を電極層１１に繰り返し貼り剥がし可能なアクリル系、エポキシ系、合成ゴム系、ポリウレタン系などの粘着剤からなる粘着体や、微細孔を有する吸着体などの粘着手段により表示媒体を電極層１１に着脱自在としたものであってもよく、また、電極層１１に表示媒体２０を着脱自在とする凹部を設けた嵌合手段により表示媒体を電極層１１に着脱自在としたものであってもよい。これらの粘着手段、嵌合手段を用いることにより、表示
ボードとなる基材層１０の強磁性体を省略することができる。
また、上記ＰＯＰ広告に用いた情報表示装置Ｃ及びＤにおいて、上記実施形態の情報表示装置Ｂと同様に、支持体６に支持板（背板）２を設け、絶縁性の基材層１０及び電極層１１を透明とし、絶縁性の基材層１０と支持板（背板）２との間に、用途や表示態様などに応じて、「スーパー○○○」、「開店」等の標章を紙等の印字シートに印刷表示等したポスターや写真などの層となる表示シート３５などを配置しても良いものである。
【実施例】
【００４２】
次に、本発明を実施例により更に詳述するが、本発明は下記実施例に限定されるものではない。
【００４３】
〔実施例１、図１及び図２に準拠〕
枠体１の作製：木角材にて作製。
絶縁性の基材層１０の作製：ラワンベニヤ板（ｔ＝５ｍｍ）を切断して作製。
電極層１１の作製：鉄板（Ｚｎメッキ、ｔ＝０．３ｍｍ）を切断して作製。
光透過性の絶縁層４０の作製：アクリル板（三菱レイヨン社製、アクリライト、ｔ＝３ｍｍ）を切断して作製
【００４４】
下記各工程により、表示媒体２０を得た。
１）用いた基板２１、２３
前面板２１、背面板２３：ＰＥＴフィルム（１００μm）
基板間距離：５０μｍ
２）用いた電極
前面電極：ＩＴＯ（１００Ω／□）
上記前面板１０に前面電極をスパッタリング法により形成した。
背面電極：アルミニウム箔
磁石材料：板状マグネット（ｔ＝２ｍｍ）
接点：粘着層付き銅薄膜
３）電気泳動表示用液の調製
下記組成となる電気泳動表示用液を用いた。
黒粒子：カーボンブラック内包アクリル粒子                            １０重量部
白粒子：チタンカップリング剤により親油化処理した酸化チタン粒子      ２０重量部
分散剤：ソルビタントリオレート                                        ３重量部
ナイミーンＬ−２０１〔ヒドロキシエチルラウリルアミン、日本油脂社製〕
３重量部
分散媒：ノルマルパラフィン（新日本石油社製）                        ３０重量部
ＳＡＳ２９６（ジアリルアルカン、新日本石油化学社製）        ３４重量部
【００４５】
４）光透過部３１と光非透過部３２を有する表示部３０の作製
１００μｍ厚の透明なＰＥＴフィルムにインクジェット印刷により白色インクを用いて、光非透過部３２を印刷し、残りを光透過部３１とした「Ｏ」の文字を作成した。同様に「Ｐ」、「Ｅ」、「Ｎ」を作成した。
５）表示媒体２０の作製
上記電極付き前面板と上記電極付き背面板を５０μｍ厚のＰＥＴフィルムをレーザー加工により一辺を残した額縁状でライン／スペースが５０μｍ／５００μｍの正方形の開口部が形成されたスペーサを介して対向配置させ、この空間内に上記配合で調製した電気泳動表示用液を封入することにより、双安定型表示媒体を作製した。なお、シール部にはＵＶ硬化型材料を使用した。この双安定型表示媒体に上記光透過部３１と光非透過部３２を有する表示部３０を透明なアクリル系接着剤により接着した。
接着層として、アクリル酸エステル系微粘着接着剤を用いた。
６）情報表示装置の作製
図１に示す表示ボードに、上記「Ｏ」「Ｐ」「Ｅ」「Ｎ」の各表示媒体２０を任意の場所に取り付けた。
【００４６】
上記実施例１で得られた表示装置について、＋５０Ｖ又は−５０Ｖの電圧を透明電極シート１４に印加して１５秒間隔で電圧の印加を＋−交互に変化させたところ、双安定型表示層の表示状態が白となったときには、光非透過部３２の表示内容が見えにくくなり、一方、黒表示状態となったときは、「Ｏ」、「Ｐ」、「Ｅ」、「Ｎ」がはっきり見えるようになり、繰り返し上記表示状態を変化させることにより、観者の視線、興味を強く引くことができる三次元の表示装置として好適な情報表示装置が得られることが判った。
【００４７】
〔実施例２、図１及び図２に準拠〕
上記実施例１において、絶縁性の基材層１０を、ラワンベニヤ板（ｔ＝３ｍｍ）と、塗装された鉄板（ｔ＝０．３ｍｍ）と、ＰＥＴ薄膜（ｔ＝１２５μｍ）とを積層し切断して作製、並びに、電極層１１をインジウム酸化物をエッチング法にてパターンニングし切断して作製した以外は、上記実施例１と同様にして表示装置を作製した。
【００４８】
上記実施例２で得られた表示装置について、＋５０Ｖ又は−５０Ｖの電圧を透明電極シート１４に印加して１５秒間隔で電圧の印加を＋−交互に変化させたところ、双安定型表示層の表示状態が白となったときには、光非透過部３２の表示内容が見えにくくなり、一方、黒表示状態となったときは、「Ｏ」、「Ｐ」、「Ｅ」、「Ｎ」がはっきり見えるようになり、繰り返し上記表示状態を変化させることにより、観者の視線、興味を強く引くことができる三次元の表示装置として好適な情報表示装置が得られることが判った。
【符号の説明】
【００４９】
Ａ  情報表示装置
１０  絶縁性の基材層
１１  電極層
２０  表示媒体
２１  前面板
２２  電極
２３  背面板
２４  電極
３０  表示部
３１  光透過部
３２  光非透過部
４０  光透過性の絶縁層
【図１】
2011095652.tif 000003
【図２】
2011095652.tif 000004
【図３】
2011095652.tif 000005
【図４】
2011095652.tif 000006
【図５】
2011095652.tif 000007
【図６】
2011095652.tif 000008
【図７】
2011095652.tif 000009
【図８】
2011095652.tif 000010